(57)【要約】      （修正有）【課題】草取り爪で取った２ｃｍ未満の小さな草を入れるのに適した容器としては特にない、その上草取り爪が小さい道具で紛失しやすい缺点がある。【解決手段】２ｃｍ未満の小さい草を入れるのに適したバケツ状の小さな容器の側面で柄の付け根の下に草取り爪の本体２を差し入れる箇所１を設置する。又差し入れた草取り爪が此の容器に入った草を捨てる時、一緒に捨てられない様に傾けた柄で容器の縁にひっかけた草取り爪の指裝着部３を押えて此れを防ぐ様にした草入れ容器。【選択図】図２
2011110045.tif 000002
【特許請求の範囲】
【請求項１】
草取り爪で取つた２ｃｍ未満の草を入れるのに適したバケツ状の小さな容器の側面で柄の付け根の下に草取り爪の本体を差し入れる箇所を設置した事を特徴とした草入れ容器。
【請求項２】
容器の上部縁に此の柄の付け根を中心にして草取り爪の指裝着部をひっかけ、柄を倒した時これで指裝着部を押えられる様にした請求項１。
【請求項３】
請求項２に２種類の草取り爪をそれぞれ差し入れてセット用品にする。
【発明の詳細な説明】
【技術分野】
【０００１】  本発明は、草取り爪に適した草入れ容器
【背景技術】
【０００２】  從來の草入れ容器は塵取りやナイロン袋等適当な入れ物を使ってゐる。
【発明の概要】
【発明が解決しようとする課題】
【０００３】  以上述べた從來の草入れ容器では草取り爪で取った２ｃｍ未満の草を入れるのには大きすぎて不適当である。又草取り爪は小さいので、物や草の影にかくれて見失いやすい欠点がある。【０００４】  本発明は、この様な從來の構成が有していた間題を解決しようとするものであり、小さい草を入れるのに適した手輕な小さめの容器で、草取り爪を差し入れる箇所を設ける事を目的とするものである。
【課題を解決するための手段】
【０００５】  そして、本発明は上記目的を達成するために草取り爪で取る２ｃｍ未満の草を入れるのに適した小さいめのバケツ状の容器の側面で柄のつけ根の下に、草取り爪の本体を差し入れる箇所を設けたものである。【０００６】  また、第２の解決手段として、容器の上部縁に此の柄の付け根を中心にして草取り爪の指裝着部をひっかけ柄を倒した時、此れで指裝着部を押えられる様にしたものである。【０００７】  上記第１の課題解決手段による作用は次の通りである。草入れ容器が小さく輕るくなり草取り爪の差し入れる箇所が出來る。【０００８】  また第２の課題解決手段による作用は、容器を片むけて柄を倒した時、草取り爪の指裝着部を容器の上部縁に押へる事が出來る様にしたものである。
【発明の効果】
【０００９】  ２ｃｍ未満の草を入れるのに輕るくて使いやすく、草取り爪を差し入れる箇所が出來便利で、その上簡單に作れる。【００１０】  容器の側面に草取り爪を差し入れていて此の容器に入った草を捨てようとしても、此の容器の柄を倒して草取り爪の指裝着部を容器の上部縁に押へる様になるので、草と共に捨てられる心配がなく安心である。【００１１】  草は小さい内に取る方が樂なので、草取り爪に此の容器があれば、小さい草小さい草へと取りたくなり、外氣と土にふれるので指先の運動にとても良く、取った草が小さいので、お天氣の良い日に広げて乾かせば一日で枯れてしまうので、後始末が嵩張らず大変樂で、一般の人は勿論これからの高令化時代に歓迎される商品となるであらう。又除草藥も使わなくてすむので、自然にやさしく土も大きく削り取らないので場所によっては苔も生える様になり見た目も緑に心がうるおい、小さい商品で地球温暖化に少こしでも役に立つ商品になるのではないでしょうか。草取り爪は平成１８年特許取得、平成１９年から商品化され販賣されている
【図面の簡単な説明】
【００１２】
【図１】  本発明の実施形態を示す斜射図
【図２】  同請求項２の実施形態を示す斜射図
【図３】  同容器に入った草を捨てる時傾むけている斜射図
【発明を実施するための形態】
【００１３】  以下、本発明の実施の形態を図１〜図３に基づいて説明する。
【００１４】  図に於いては、容器の柄６の付け根４の下の容器側面７に草取り爪本体２を差し入れる箇所１を設ける。
【００１４】  図２においては、容器の上部縁５に容器の柄６の付け根４を中心にして、草取り爪の指裝着部３をひっかける事が出來る様にして草取り爪の本体２を容器の側面７に差し入れる箇所１を設けている。
【００１５】  以下、上記構成の動作を説明する。此の草入れ容器の草を捨てる時、容器の上部縁に草取り爪の指裝着部３をひっかけて、容器の側面に草取り爪を差し入れていれば、此の容器の倒した柄で指裝着部３を押へる様になるので、草と共に捨てられる心配がなく安全である。
【符号の説明】
【００１６】  １    差し入れる箇所
２    草取り爪の本体
３    草取り爪の指裝着部
４    容器の柄の付け根
【図１】
2011110045.tif 000003
【図２】
2011110045.tif 000004
【図３】
2011110045.tif 000005
【手続補正書】
【提出日】平成21年12月3日(2009.12.3)
【手続補正１】
【補正対象書類名】特許請求の範囲
【補正対象項目名】請求項３
【補正方法】変更
【補正の内容】
【請求項３】
草入れ容器の草取り爪の本体を差し入れる箇所に草取り爪の本体を差し入れて、草取り爪と草入れ容器を組合わせてセット商品にした請求項１或いは請求項２の草入れ容器。
【手続補正書】
【提出日】平成22年3月16日(2010.3.16)
【手続補正１】
【補正対象書類名】特許請求の範囲
【補正対象項目名】請求項３
【補正方法】変更
【補正の内容】
【請求項３】
草取り爪本体２を差し入れる箇所１に差し入れて、草取り爪と草入れ容器をセット用品にする。
【手続補正書】
【提出日】平成22年6月30日(2010.6.30)
【手続補正１】
【補正対象書類名】明細書
【補正対象項目名】特許請求の範囲
【補正方法】変更
【補正の内容】
【特許請求の範囲】
【請求項１】草取り爪で取った２ｃｍ未満の草を入れるのに適した小さいバケツ状の容器の側面で柄の付け根の下に草取り爪の本体を差し入れる箇所を設置すると共に、容器の上部縁に柄の付け根を中心にして草取り爪の指装着部をひっかけ、柄を倒した時これで指装着部が容器の上部縁に押へられる様にした事を特徴とした草取り爪を備えた草入れ容器。
【手続補正２】
【補正対象書類名】明細書
【補正対象項目名】図２
【補正方法】変更
【補正の内容】
【図２】
同上の柄を倒した状態の斜射図。
【手続補正書】
【提出日】平成22年8月4日(2010.8.4)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
草取り爪で取った２ｃｍ未満の草を入れるのに適した小さいバケツ状の容器の側面で柄の付け根の下に草取り爪の本体を差し入れる箇所を設置すると共に、容器の上部縁に柄の付け根を中心にして草取り爪の指装着部をひっかけ、柄を倒した時これで指装着部が容器上部縁に押へられる様にした事を特徴とした草取り爪を備えた草入れ容器。
【手続補正２】
【補正対象書類名】手続補正書
【補正対象項目名】手続補正２
【補正方法】変更
【補正の内容】
【手続補正２】
【補正対象書類名】明細書
【補正対象項目名】００１２
【補正方法】変更
【補正の内容】
【００１２】
【図１】本発明の実施形態を示す斜射図
【図２】同上の柄を倒した状態の斜射図
【図３】同容器に入った草を捨てる時傾むけている斜射図